(57)【要約】【課題】  データの消去による待ち時間を減少させ、ユーザの処理要求に即座に対応することができる情報記録装置を提供する。【解決手段】  録画データと、録画データのデータ量の情報を含む管理情報とを記録する記録手段１０１と、記録手段の記録可能容量を算出する算出手段１０２と、管理情報と記録可能容量の情報との表示を制御する第１の表示制御手段１０３と、表示された管理情報と記録可能容量の情報とに基づいてユーザの消去しようとする録画データを特定する特定手段１０４と、録画データのデータ量と記録可能容量との合計の合算容量情報の表示を制御する第２の表示制御手段１０５と、録画データを消去するとともに、表示された合算容量情報を再確認した後、記録手段に新たな録画データの記録を開始させる処理手段１０６とを備える。【選択図】  図１
2005190597.tif 000002
【特許請求の範囲】
【請求項１】
映像データ及び／又は音声データからなる録画データと、少なくとも前記録画データを管理するための管理情報とを関連付けて記録する記録手段と、
前記記録手段の記録可能容量を算出する算出手段と、
前記記録手段に記録された前記管理情報と前記算出手段によって算出された前記記録可能容量の情報とを表示手段に表示するよう制御する第１の表示制御手段と、
前記第１の表示制御手段によって前記表示手段に表示された前記管理情報と前記記録可能容量の情報とに基づいて、ユーザが消去をしようとする前記録画データを特定する特定手段と、
前記特定手段によって特定された前記録画データのデータ量と前記記録可能容量との合計の容量の情報である合算容量情報を前記表示手段に表示するよう制御する第２の表示制御手段と、
前記特定手段によって特定された前記録画データを消去するとともに、前記表示手段に表示された前記合算容量情報を再確認した後、前記記録手段に新たな録画データの記録を開始させる処理手段とを、
備える情報記録装置。
【請求項２】
前記処理手段は、前記新たな録画データの記録の最中に前記記録手段の記録可能な領域が無くならないように、前記録画データの消去速度を制御する請求項１に記載の情報記録装置。
【発明の詳細な説明】
【技術分野】
【０００１】
本発明は、映像、音声などの情報を記録する情報記録装置に関する。
【背景技術】
【０００２】
従来の情報記録装置は、自身の内部の記録容量に記録されたデータを消去するとき、消去しようとするデータの管理情報を変更するように設計されていた。この変更処理が終了しないとユーザからの新規の録画要求などを受け付けることができなかった。データ量の小さいものは変更する管理情報が少量で済むため、変更の処理が完了してから次の処理を受け付けるようにしてもユーザを待たせることはなかった。このような従来の情報記録装置が下記の特許文献１に開示されている。
【特許文献１】http://www.jvc-victor.co.jp/download/catalog/videodeck.pdf
【発明の開示】
【発明が解決しようとする課題】
【０００３】
しかしながら、特許文献１に開示されている情報記録装置において、映像データなどのデータ量の大きいもの及び音声データを含む録画データであって長時間録画されたものを消去しようとすると、管理情報の変更に膨大な時間を要し、次の処理の受付まで長時間ユーザを待たせ、即座にユーザの要求にこたえることができないといった問題があった。例えば、ユーザが新規に録画を開始しようとするとき、新規に録画をする録画番組のデータ量が情報記録装置の記録容量の空き容量を超える場合には、既に記録されている録画データを消去しなければ新規の録画をすることができない。そのため、ユーザは既に記録されている録画データを消去しなければならないが、長時間録画された録画データを消去する場合にはユーザを長時間待たせることになり、すぐに録画を開始したいというユーザの要求にこたえることができなかった。
【０００４】
本発明は、上記問題を解決するためのものであり、データの消去による待ち時間を減少させ、ユーザの処理要求に即座に対応することができる情報記録装置を提供することを目的とする。
【課題を解決するための手段】
【０００５】
上記目的を達成するために、本発明によれば、映像データ及び／又は音声データからなる録画データと、少なくとも前記録画データを管理するための管理情報とを関連付けて記録する記録手段と、前記記録手段の記録可能容量を算出する算出手段と、前記記録手段に記録された前記管理情報と前記算出手段によって算出された前記記録可能容量の情報とを表示手段に表示するよう制御する第１の表示制御手段と、前記第１の表示制御手段によって前記表示手段に表示された前記管理情報と前記記録可能容量の情報とに基づいて、ユーザが消去をしようとする前記録画データを特定する特定手段と、前記特定手段によって特定された前記録画データのデータ量と前記記録可能容量との合計の容量の情報である合算容量情報を前記表示手段に表示するよう制御する第２の表示制御手段と、前記特定手段によって特定された前記録画データを消去するとともに、前記表示手段に表示された前記合算容量情報を再確認した後、前記記録手段に新たな録画データの記録を開始させる処理手段とを備える情報記録装置が提供される。
【０００６】
また、本発明の情報記録装置において、前記処理手段が前記新たな録画データの記録の最中に前記記録手段の記録可能な領域が無くならないように、前記録画データの消去速度を制御することは、本発明の好ましい態様である。
【発明の効果】
【０００７】
本発明の情報記録装置は、上記構成を有し、データの消去による待ち時間を減少させ、ユーザの処理要求に即座に対応することができる。
【発明を実施するための最良の形態】
【０００８】
以下、本発明の実施の形態について図１及び図２を用いて説明する。図１は本発明の実施の形態に係る情報記録装置の構成を示す図である。図２は本発明の実施の形態に係る情報記録装置における処理動作を示すフローチャートである。
【０００９】
まず、本発明の実施の形態に係る情報記録装置の構成について図１を用いて説明する。図１に示すように、情報記録装置１００は、記録部１０１、算出部１０２、第１の表示制御部１０３、特定部１０４、第２の表示制御部１０５、処理部１０６、外部インタフェース１０８から構成されている。記録部１０１は、映像データ及び／又は音声データからなる録画データと、少なくとも録画データを管理するための管理情報とを関連付けて記録する。ここで、管理情報とは、例えば録画データの管理番号や録画データのタイトルなどの情報を言う。
【００１０】
算出部１０２は、記録部１０１の記録可能容量を算出する。すなわち、算出部１０２は、記録部１０１内部に残っている記録することが可能な容量を算出する。第１の表示制御部１０３は、記録部１０１に記録された管理情報と算出部１０２によって算出された記録可能容量の情報とを外部表示部１０７に表示するよう制御する。外部表示部１０７とは、例えばテレビ受像機などを言う。第１の表示制御部１０３は、例えば録画データのタイトル「ＸＸＸ」と録画データのデータ量「１０ＭＢ」と記録可能容量「３０ＭＢ」とをテレビ受像機の画面上に表示させる。ここで、録画データのデータ量とは、映像データ及び音声データのデータ容量を合わせたデータ容量であって、例えば１０ＭＢなどを言う。
【００１１】
なお、記録可能容量を「３０ＭＢ」と表示しても実際の記録可能時間がわからないため、「３０ＭＢ」に代えて記録可能時間を表示するようにしてもよい。また、記録可能容量と記録可能時間との双方を表示するようにしてもよい。また、第１の表示制御部１０３は、外部表示部１０７に表示させるだけでなく、不図示の液晶表示部に表示させるようにしてもよい。ここで、液晶表示部は、情報記録装置１００内で行われている処理内容などを表示するものであり、例えば液晶ディスプレイに相当する。
【００１２】
特定部１０４は、第１の表示制御部１０３によって外部表示部１０７に表示された管理情報と記録可能容量の情報とに基づいて、ユーザが消去をしようとする録画データを特定する。すなわち、特定部１０４は、例えばユーザが第１の表示制御部１０３によって外部表示部１０７に表示された録画済みの録画データのタイトル「ＹＹＹ」、録画データのデータ量「１５ＭＢ」、記録可能容量「２０ＭＢ」と、録画データのタイトル「ＺＺＺ」、録画データのデータ量「２０ＭＢ」、記録可能容量「２０ＭＢ」とを見て、消去しようとする録画データをリモコンなどで選択すると、その選択に基づいて消去しようとする録画データを特定する。
【００１３】
第２の表示制御部１０５は、特定部１０４によって特定された消去するべき録画データのデータ量と記録可能容量との合計の容量の情報である合算容量情報を外部表示部１０７に表示するよう制御する。すなわち、上述した例において、ユーザが消去する録画データとして、録画データのタイトル「ＹＹＹ」を選択すると、選択された録画データのデータ量が「１５ＭＢ」であり、記録可能容量は「２０ＭＢ」であるため、合算容量情報は１５ＭＢと２０ＭＢとを足し合わせた「３５ＭＢ」となる。第２の表示制御部１０５は、この合算容量情報「３５ＭＢ」を外部表示部１０７に表示させる。録画データのデータ量と記録可能容量との足し合わせは、第２の表示制御部１０５が行うが他の処理手段が行うようにしてもよい。なお、上述した第１の表示制御部１０３と第２の表示制御部１０５とをまとめて１つの表示制御部とし、この表示制御部に第１の表示制御部１０３と第２の表示制御部１０５とが行う処理をさせるようにしてもよい。
【００１４】
処理部１０６は、特定部１０４によって特定された消去するべき録画データを消去するとともに、第２の表示制御部１０５によって外部表示部１０７に表示された合算容量情報を再確認した後、記録部１０１に新たな録画データの記録を開始させる。すなわち、処理部１０６は、特定部１０４によって特定された消去する録画データを消去する一方で、外部表示部１０７に表示された合算容量情報を見たユーザが、例えばある番組を録画したいと思い、ユーザによってその番組を録画するための情報がリモコンなどで入力された場合に、入力された情報に基づいて番組の録画を開始する。ここでの録画要求とは、即座の録画の要求のみだけでなく、予約による録画の要求をも言う。
【００１５】
なお、処理部１０６は、新たに録画する番組の始めから終わりまで記録ができるように記録部１０１の記録領域を確保すべく、消去する録画データの消去速度を制御する。すなわち、処理部１０６は、例えば消去する録画データの消去によって生じる単位時間当たりの消去容量が新たに録画する番組の単位時間当たりの記録容量を上回るように、消去する録画データの消去速度を制御する。また、上述した記録部１０１は、例えばＨＤＤ、ＲＡＭ、ＲＯＭに相当し、算出部１０２、第１の表示制御部１０３、特定部１０４、第２の表示制御部１０５、処理部１０６は、例えばＣＰＵに相当する。また、これらの要素はバスによってそれぞれがつながれている。また、情報記録装置１００は、外部表示部１０７と外部インタフェース１０８を介して接続されている。
【００１６】
次に、本発明の実施の形態に係る情報記録装置１００における処理フローについて図２を用いて説明する。図２に示すように、算出部１０２は、映像データ及び／又は音声データからなる録画データと、少なくとも録画データを管理するための管理情報とを関連付けて記録する記録部１０１の記録可能容量を算出する（ステップＳ２０１）。第１の表示制御部１０３は、記録部１０１に記録された管理情報と算出部１０２によって算出された記録可能容量の情報とを外部表示部１０７に表示するよう制御する（ステップＳ２０２）。
【００１７】
特定部１０４は、第１の表示制御部１０３によって外部表示部１０７に表示された管理情報と記録可能容量の情報とに基づいて、ユーザが消去をしようとする録画データを特定する（ステップＳ２０３）。第２の表示制御部１０５は、特定部１０４によって特定された消去するべき録画データのデータ量と記録可能容量との合計の容量の情報である合算容量情報を外部表示部１０７に表示するよう制御する（ステップＳ２０４）。処理部１０６は、特定部１０４によって特定された消去するべき録画データを消去するとともに、第２の表示制御部１０５によって外部表示部１０７に表示された合算容量情報を再確認した後、記録部１０１に新たな録画データの記録を開始させる（ステップＳ２０５）。ここで、処理部１０６は、番組の記録の最中に記録部１０１の記録可能な領域が無くならないように、消去する録画データの消去速度を制御するようにしてもよい。
【産業上の利用可能性】
【００１８】
本発明に係る情報記録装置は、データの消去による待ち時間を減少させ、ユーザの処理要求に即座に対応することができるため、映像、音声などの情報を記録する情報記録装置などに有用である。
【図面の簡単な説明】
【００１９】
【図１】本発明の実施の形態に係る情報記録装置の構成を示す図である。
【図２】本発明の実施の形態に係る情報記録装置における処理動作を示すフローチャートである。
【符号の説明】
【００２０】
１００  情報記録装置
１０１  記録部（記録手段）
１０２  算出部（算出手段）
１０３  第１の表示制御部（第１の表示制御手段）
１０４  特定部（特定手段）
１０５  第２の表示制御部（第２の表示制御手段）
１０６  処理部（処理手段）
１０７  外部表示部（表示手段）
１０８  外部インタフェース
【図１】
2005190597.tif 000003
【図２】
2005190597.tif 000004